(57)【要約】【課題】  電車に乗って出かける時、雨降りで傘を駅まで差してきたものの、天候回復等により以後傘が不要になる場合や、逆に帰宅時降雨予報の為、傘が必要となる場合に、その間傘を持ち歩く煩わしさを解消するため、最寄りの駅で傘を安全且つ安価で預かれる傘専用ロッカー及び傘預かりシステム並びに傘レンタルシステムを提供する。【解決手段】  鍵付きで傘が斜めに入る傘収納層と、それをコンピュータで管理運用できる操作パネルと表示画面と代金収納関係装置等とを、筺体に組み込み、その表示画面で指定された収納場所に、料金を払って傘を出し入れ出来るので、利用者は天候急変時、不要もしくは必要となる傘を安全かつ手軽に最寄りの駅構内等で預けたり受け取ったり、又はレンタルすることで傘を持ち歩く煩わしさから開放される。【選択図】      図１
0003101891.tif 000002
【実用新案登録請求の範囲】
【請求項１】
たたんだ洋傘を１本差し込める細長い容器で、その差込口は角型又は菱型もしくは円形で、その内側に傘抜き取り防止ロック装置を組み合わせ、それを本体に着脱可能な構造である傘収納ユニットとした物と、それを収納する本体の中には、正面から見て規則的に配列した状態で斜め下に差し込んだ傘収納層と、その両サイドに、傘預かりシステムに必要な処理及び管理を行うコンピュータと表示画面と、それらに連動した料金収納関連装置とを組み合わせることを特徴とする傘専用コインロッカー。
【請求項２】
請求項１記載で配列した各傘収納ユニットには、それぞれを識別するためユニット番号を付け、本システムのコンピュータでそのユニット番号と利用者番号を、リンク又はリンク解除して各ユニットの使用状況を判断及び保持し、それを元に傘の預け先又は預かり先の番号及び料金精算額等を画面で表示し、それに連動した料金徴収関連装置で料金収納できることを特徴とした、傘専用コインロッカーを利用した傘預かりシステム。
【請求項３】
請求項１請求項２の装置及び、手法により実施者所有の傘をレンタル傘として貸し出すことを特徴とする、傘専用コインロッカーを利用した傘レンタルシステム
【考案の詳細な説明】
【考案の詳細な説明】
【技術分野】
【０００１】  本考案は傘専用コインロッカー及びこれを使用した傘の自動預かりシステム及び自動傘レンタルシステムに関するものである。
【背景技術】
【０００２】  従来、駅に向かうとき降っていた雨が、駅に着いたとき止みそれ以後の天気予報では、雨が降らないと分かっていても傘を持って電車に乗らなくてはならなかった。又、出かけるとき時、雨は降っていなくても、帰宅時の時間帯の天気予報では雨になる場合等においては、出かける時から傘を持って移動していた。
【考案が解決しようとする課題】
【０００３】  しかし、使用しない傘を持って移動する際、傘が邪魔になり煩わしく不自由であった。そこで、最寄りの駅等に安価で預けることができる傘専用コインロッカー及び、傘自動預かりシステム並びに傘レンタルシステムを提供できることを課題とした。
【課題を解決する為の手段】
【０００４】  たたんだ洋傘を１本差し込める細長い容器の差込口に、傘抜き取り防止鍵に相当するロック装置を組み合わせた傘収納ユニットの集合体を、傘収納層として本体に組み込み、あわせて本体に組み込んだ表示画面装置及び専用コンピュータで本システムを管理運用できる傘専用コインロッカーを設置する。
【０００５】  そしてそれに、傘を預ける場合は、現金又は専用プリペードカード（以下カードと称する）を使用し、現金又は、カードを入れば、傘挿入指定先のユニット番号を画面表示し、その番号の傘収納ユニットに傘を差し込みロックすれば自動傘預かりとして機能する。
【０００６】  一方、傘を預けている利用者がカードを挿入又は利用者番号を入力すれば、その傘の預け先のユニット番号を表示し、そのユニットのロックを解除して傘を受け取れる仕組みで、利用者は天候急変時、不要または必要となった傘を安全かつ手軽に、最寄りの駅構内等で預けたり受け取ったり、又はレンタルできて不必要な傘を持ち歩く不自由さを解消できる。
【考案を実施するための最良の形態】
【０００７】  以下、本考案の実施形態の図面を参照にして説明する。図１は本考案の箱状の筐体をなす本体の正面図である。この本体（１）の中に、図４で表示のたたんだ洋傘（２）を斜め下に１本差し込める細長の四角い容器（２２）装着する。そして、その方法は上下左右の傘がそれぞれ出し入れしやすい状態にする為、各層が互い違いに整然と配列してある傘収納層である。なお、図１の差込口は角型の形状（３）をしているが、図２の一例のようにこの差込口は菱型の形状（４）もしくは、図には示してないが円形でも良い。【０００８】  さらに、本体の両サイドに表示画面（６）と操作パネル（７）及び料金徴収関係ユニット（８）を組み込んである。そして、本体上部に見える算用数字及び両サイドに見えるアルファベットの交差した所の傘収納ユニットがそのユニット番号を示し、表示画面（６）の上の大文字のアルファベットは本体そのものの識別番号文字を表す。【０００９】  実際の運用面では、この本体（１）を複数個設置した場合、それぞれを通信ケーブルでつなぎ、どこの本体のカード挿入口（９）にカードを挿入又は利用者番号を入力した場合でも、預けた本体番号とそのユニット番号が画面表示（６）されて、傘の預け先が分かるようにする。当然単体でも実施可能である。【００１０】  図３は傘収納ユニット（５）をユニット装着枠（１０）に装着しその中に傘（２）を差し込み、ロックバーでロックした状態の側面図である。ユニット（５）の素材は金属あるいは合成樹脂等からなり、その差込口に鍵となる傘抜き取り防止ロック装置（１１）を組み合わせて、ユニット（５）全体が容易に本体から着脱できる構造とする。そして、それを金属等素材からなる本体のユニット装着枠（１０）の中に挿入する。そしてそのユニットに、傘を差込むと、傘の柄（１２）がユニットの外にはみ出る格好で収まるので傘の出し入れがスムーズに出来る。【００１１】  一方、第三者が傘を引き抜こうとしても、傘の柄にロックバー（１３）が掛かり傘を引っ張っても、たたんだ傘の膨らんだ布部分（１９）に引っかかって傘を引き出すことができない。傘を引き出すには図５にあるロック操作レバー（１４）を開の方向にスライドし、それと連動してロックバー（１３）が上に回転移動して、障害物となっているロックバー（１３）を引っ込ませば傘を引き出せる。なお、操作レバー（１４）は操作レバー支点（１５）で止めるシンプルな構造の一例であり、図４のようなロック板方式でもよいが、詳細については割愛する。なお、傘盗難防止できる方法であればロック方法はこれらの限りでない。【００１２】  図５は図３の傘収納ユニット（５）の正面図である。実線で示したロック操作レバー（１４）の閉側の位置はロック時、破線のロック操作レバー（１４）の開側の位置はロック解除時の位置を示す。ロックバー（１３）はロックバー支点（１５）を中心に回転する様に固定し、レバー（１４）の下部にあるロックバー支え（１６）で支え、レバー（１４）を左右にスライドすれば連動してロックバー（１３）が上下する。【００１３】  なお、ロックレバーの開側と閉側の中間にロック保持用電磁ユニット（１８）を組み込み、コンピュータと連動した電磁石で作動する可動突起棒（２０）���設けることで、第三者が不要にロック操作レバーを操作することを阻止する。開閉する場合は、いずれにおいても管理コンピュータから電磁ユニット（１８）が作動信号をその都度受けないと電磁石で作動する可動突起棒（２０）が作動しないためロックレバー（１３）は開又は閉の位置で固定されたまま動かない。【００１４】  図６は傘収納ユニット（５）を傘ロッカー本体（１）に装着した状態のユニット（５）と一部引き出した状態のユニット（５）それに、傘（２）の収納の様子の側面図である。図のように傘収納ユニット（５）を斜めに装着することで筺体の幅を狭くできることと、水滴を収納枠（１０）に沿って集めることができて、下方の傘に水滴等がかからないようにする。【００１５】  そして下側に位置する傘の差込口は身長の低い人が、又、高い位置には身長の高い人が利用できるようする。そのためコンピュータに判断さすデータとして、初回利用のカード作成時、利用者の身長を登録するようにすれば、次回以降カードを挿入したとき、カード読み取りと同時にコンピュータが傘を入れる位置を判断する事ができる。以下フローチャート図を元にその手順と流れを説明する。【００１６】  図７は、傘を預ける場合の手順をフローチャート図化したものである。操作パネルで預けボタン（１０１）カードなしボタン（１０２）新規ボタン（１０３）を順次押し、身長及び電話番号を入力（１０４）し、入金（１０５）し、カード作成データ画面確認後（１０６）ＯＫボタン（１０７）を押す。その後、コンピュータは身長に応じた空場所を検索（１０９）し、その場所の表示（１１０）を確認後カードを受け取り（１１３）、指定のユニットに傘を差し込み（１１４）レバーを閉にすれば（１１５）コンピュータがそのユニット番号とカード番号をリンクした状態で記憶（１１７）して、預け作業は終わる。次にカード保持者の利用例を説明する。【００１７】  カード保持者が預ける場合、預けボタン（１０１）を押しカードを挿入（１１９）すれば、コンピュータがカードから残高金額と登録してある身長を判断（１０８）して、その身長に合った空き場所を検索（１０９）し表示（１１０）する。ＯＫボタン（１１１）を押せば１回分の料金を徴収（１１２）して残金額を表示し、それを確認後カードを受け取り（１１３）指定ユニット番号付近に移動して、傘をそのユニットの中に差し込み（１１４）ロックレバーを閉方向にスライド（１１５）する。そうするとコンピュータに連動した電磁装置が作動して（１１６）固定され、その作動信号をコンピュータが受けて、そのユニット番号とカード番号をリンク（１１７）して使用中として記憶保持する。【００１８】  図８は会員が預けた傘を受け取りに来た場合のフローチャート図である。まず受け取りボタン（２０１）を押してカードを挿入（２０２）すればコンピュータがカード情報によりそのカードとリンクしているユニット番号を検索（２０３）して料金精算（２０５）し、預けてある傘収納ユニットの番号を表示（２０８）する。利用者はその表示に基づき画面操作し、料金を支払うか又は残金のあるカードで料金分を減じて、カードを受け取る。【００１９】  その間にコンピュータは電磁ユニットへ作動信号を発信（２１０）し���ックレバーをフリーにする。利用者は預けた傘の差し込んであるユニットのロック操作レバーを開にスライド（２１２）すれば傘を引き抜ける。コンピュータは電磁ユニットへ作動信号を送るので電磁ユニットの電磁石で作動する可動突起棒が作動してユニットは空きの状態でロックがかかる。そして、そのユニット情報は、リンク相手の無い空ユニットとして記憶保持（２１４）して受け取り作業は終了する。なお、カードが無い場合は登録番号を入力すれば対応できるようにする。【００２０】  図９はレンタル傘を借りる場合のフローチャート図である。初めてレンタル傘を借りる場合は、操作パネルのレンタル貸しボタン（３０１）に続いてカードなしボタン（３０２）、新規ボタン（３０３）を押し身長と電話番号を登録（３０４）し設定された保証料金込みの金額を投入（３０５）すればコンピュータがカード作成する。その後コンピュータは身長と貸し出し可能な空き傘を判断（３０７）し貸し出し傘の収納してあるユニット番号を表示（３０９）した後ＯＫボタンを押せば、カードを発行する。カードを受け取り、表示された番号の傘を抜き取ればコンピュータは空場所として記憶（３１４）して貸し出しは終了する。その間のコンピューター及びロック装置の作動等は図８の（２１０）から（２１６）と同様となるため、図９では一部省略してある。【００２１】  図１０はレンタル傘を返すときのフローチャート図である。利用者はレンタル傘返却ボタン（４０１）を押し、カードを挿入（４０２）すれば、コンピュータが利用期間と預かり保証金を相殺して計算（４０３）し計算したカード残金を表示（４０４）する。なお、レンタル傘の使用料金及びカード残金額が表示される金額に、不足が生じたら現金を投入して清算すれば、傘返却ユニット番号を表示（４１１）し、そこに傘が返却されたらカードを返却して、再び貸し出しできる体制で待機する。その間コンピュータは電磁ユニットに信号を送りロック機構を作動させる等の作業をする。
【考案の効果】
【００２２】  本考案は、上述の装置及びシステムで運営されるので、次に記載する効果がある。本考案の装置である傘専用ロッカーは斜めに差し込むことで本体の横幅つまり奥行きを狭く出来きる上、雨で濡れた傘の水滴を流し落とすことが出来るので取り出すとき水滴が付きにくい。
【００２３】  傘収納ユニットの出し入れ口を段違いに配列するか菱型又は丸型の形状にすることで周囲の傘の柄が邪魔にならない。従って傘の出し入れがスムーズに出来ることと、狭いスペースに大量に収納できる上、見た目にも整然としている。
【００２４】  ロック機構をつけることで第三者に抜き取られる心配が無いので安心して預けることが出来る。また、ロック機構はシンプルな構造のため故障が出にくい。
ロック付き傘収納ユニットにすることでメンテナンス時本体の機能を停止することなく又、他のユニットに対しても支障なくその特定のユニットのみ前面に取り出して修理等が出来るので、万が一故障した時最小限の機能停止で対処できる。
【００２５】  管理コンピュータ及び操作画面ならびに料金収納ユニットを両サイドに付けることで、１つの本体に対し２箇所で操作できる利便性と、万が一、片方に不具合が生じた場合、残りの機械で対処でき故障機が復旧するまで利用者の不便が軽減する。更に、本体を複数台連結して設置する場合は、各コンピュータと連結することで、利用者はどこの操作パネルで操作しても自分の傘の預け先が分かり便利である。そして同時にコンピュータシステムから見ればバックアップ体制をとることが出来る。
【００２６】  本体上部と両サイドにガイド用の数字及びアルファベットを表示してあることと、個々の傘収納ユニットにそれぞれユニット番号をつけることで利用者は預けたり受け取ったりする時、素早く且つ容易にその場所を特定できる。
【００２７】  利用形態により硬貨、紙幣、プリペイドカードのいずれも使えることで利便性が高い。又、会員カード形式のカード発行することで次回利用するとき入力の操作が省け、更にプリペードカード機能を備えることで利用の都度、小銭を準備する手間が省ける。
【００２８】  身長を登録することでその人の身長に応じた場所を利用できることと利用箇所が分散できる。又、電話番号を登録することで、万が一利用者がカード紛失の場合でも登録した２つの数字を入力することで、傘を取り出すことが出来る。その上、長期間預け続けた場合管理上その利用者に直接連絡が取れる。更に、電話番号を登録するということで不正使用の抑止効果がある。
【００２９】  レンタルシステムを組み込むことで傘を預けていなくても、借りることが出来るので利便性が高まる。又、本装置の故障で預けた傘が取り出せなくなった時には、その傘の代用品としてレンタル傘を貸し出しすることで利用者に迷惑をかけない。
【図面の簡単な説明】
【図１】四角形の傘収納ユニットを装着した傘専用ロッカーの正面図である。
【図２】菱形の傘収納ユニットを装着した傘専用ロッカーの正面図である。
【図３】ロックバー型傘抜き取り防止装置を含む傘収納ユニットの側面図である。
【図４】ロック板形傘抜き取り防止装置を含む傘収納ユニットの斜視図である。
【図５】ロックバー型傘抜き取り防止装置部分を正面から見た図である。
【図６】本体に傘収納ユニットを実装する様子を側面から見た透視図である。
【図７】傘預かりの流れと処理に関するフローチャート図である。
【図８】傘返却の流れと処理に関するフローチャート図である。
【図９】レンタル傘貸し出しの流れと処理に関するフローチャート図である。
【図１０】レンタル傘返却の流れと処理に関するフローチャート図である。
【符号の説明】
１    傘専用ロッカー本体
２    たたんだ洋傘
３    四角形の差込口
４    菱形の差込口
５    傘収納ユニット
６    表示画面
７    操作パネル
８    料金収納ユニット
９    カード挿入口
１０  ユニット装着枠
１１  傘抜き取り防止装置
１２  傘の柄
１３  ロックバー
１４  ロック操作レバー
１５  操作レバー支点
１６  ロックレバー支え
１７  ロック板
１８  ロック保持用電磁ユニット
１９  たたんで膨らんだ傘の布部
２０  電磁石で作動する可動突起棒
２１  保護板
２２  細長い四角い容器
【図１】
0003101891.tif 000003
【図２】
0003101891.tif 000004
【図３】
0003101891.tif 000005
【図４】
0003101891.tif 000006
【図５】
0003101891.tif 000007
【図６】
0003101891.tif 000008
【図７】
0003101891.tif 000009
【図８】
0003101891.tif 000010
【図９】
0003101891.tif 000011
【図１０】
0003101891.tif 000012